(57)【要約】【課題】  ボールベアリング付きサルカンに設けたボールベアリングの手組み工法から生産性の高いボールベアリング挿入装置を提供すること。【解決の手段】  特に、釣り用サルカンのボールベアリング付きサルカンＡが構成するケース１内部に設けたボールベアリング２の挿入方法において、ベアリング容器３に収容されたボールベアリング２が一列で自重通過する第１ゲート４と第２ゲート５間に、ボールベアリング２の所定の数量をカウント可能な長さＬを持つ、計量パイプ６の片方の端子６ａを第１ゲートに整合し、他方の端子６ｂを第２ゲート５に整合でなり、該計量パイプ６のハンドル７への押し圧Ｐで、其れに連動する圧縮スプリング８を介し、伸縮でのスライド移動で双方のゲートが交互に開成Ｂと閉成Ｃとを自在にし、計量パイプ６に貯められた所定のボールベアリング２の数量を第２ゲート５の端部５ａより放出可能構成にし、個別に配置するボールベアリング付きサルカンＡのケース１の開口部１ａにボールベアリング２を挿入可能構成にする。【選択図】図１
2010187649.tif 000002
【特許請求の範囲】
【請求項１】
特に、釣り用サルカンのボールベアリング付きサルカンＡが構成するケース１内部に設けたボールベアリング２の挿入方法において、ベアリング容器３に収容されたボールベアリング２が一列で自重通過する第１ゲート４と第２ゲート５間に、ボールベアリング２の所定の数量をカウント可能な長さＬを持つ、計量パイプ６の片方の端子６ａを第１ゲートに整合し、他方の端子６ｂを第２ゲート５に整合でなり、該計量パイプ６のハンドル７への押し圧Ｐで、其れに連動する圧縮スプリング８を介し、伸縮でのスライド移動で双方のゲートが交互に開成Ｂと閉成Ｃとを自在にし、計量パイプ６に貯められた所定のボールベアリング２の数量を第２ゲート５の端部５ａより放出可能構成にし、個別に配置するボールベアリング付きサルカンＡのケース１の開口部１ａにボールベアリング２を挿入可能にしたことを特徴とする、ボールベアリング計量挿入装置。
【発明の詳細な説明】
【技術分野】
【０００１】  この発明は主に釣り用に使うボールベアリング付きサルカンの構成するケース１内部に設けたボールベアリングを、ケース１内部に挿入組み付け製造の為の、ボールベアリングの所定の数量を挿入出来る装置に関する。
【背景技術】
【０００２】  この従来の技術として、釣り用のボールベアリング付きサルカンの構成で合成樹脂製で分割構成でなるケース体の収納部に、収納部側面の片方側面に位置して開口する軸孔に貫通して回動する、抜け止め円板体付きの回転軸が収納され、該円板体の側面と前記収納部側面の片方或いは両方側面間にボールベアリングを設定することで、回転軸が円滑に回動自在構成とし、回転軸の端子とケース体の開口部に係合してなる蓋体の双方の端子の夫々に接続孔を設け、連結用具を接続の出来るボールベアリング付きのサルカンが知られる。（特許文献１参照）【０００３】  そして又、他の文献に開示される釣用撚戻し及び釣用撚戻しの製造法方法で知られる。これらは、一方の回転体の内部に設けられた係止部に頭部を係止させることにより頭付連結軸を抜脱不能に、且つ軸長方向に出退自在に連結し、該頭付連結軸を回転体側に押し込んで該回転体の周壁に嵌設された挿入孔を、頭部と係止部との間に生ずる隙間に連通させ、該挿入孔から所定数のボールベアリングを挿入した後、頭付連結軸に他方の回転体を連結する構成での製造方法がある。
（特許文献２参照）【０００４】
【特許文献１】特願２００８−３１７６６８
【０００５】
【特許文献２】特開平９−３０８４１７号公報
【発明の開示】
【発明が解決しようとする課題】
【０００６】  しかしながら上記する従来技術の場合は特許文献１での、ボールベアリングをケース内に挿入し封印するのに、分割構成でなるケース体の収納部側面と、其の側面の軸孔に差し込まれた円板体の側面間に、ボールベアリングを決められた数だけ挿入する作業は、一つづつ手作業で収納部の狭い開口部に、ピンセットで摘んだボールベアリングを、挿入しなければならない為、員数違いや、取りこぼし等で、ボールベアリングの挿入に時間がかかり生産性が悪いのが大きな課題とされる。【０００７】  また、特許文献２では、回転体の中にボールベアリングを挿入するのに、回転体の外周に開口する丸い挿入孔から所定数のボールベアリングを入れるのに、ボールベアリングの大きさよりやや大きい孔に的を絞って入れなければならないと、入らない構造での課題が残り、上記する従来のボールベアリング挿入製造では、生産性に大きな課題があり、製造方法の活気的な改善が強く要望されていた。即ち、作業者がボールベアリングをピンセットで摘む事無く、必要な数を一々数取り等をする事なく、正確な数を、狭い隙間に挿入される装置を具現化すれば、これらの問題が解決することになる。
【課題を解決する為の手段】
【０００８】  この発明はかかる課題を解決する為に、請求項１での発明は図１で述べる様に、釣り用サルカンのボールベアリング付きサルカンＡが構成するケース１の内部に設けたボールベアリング２の挿入方法において、ベアリング容器３に収容されたボールベアリング２が一列で自重通過する第１ゲート４と第２ゲート５間に、ボールベアリング２の所定の数量をカウント可能な長さＬを持つ計量パイプ６の片方の端子６ａを第１ゲートに整合し、他方の端子６ｂを第２ゲート５に整合でなり、該計量パイプ６のハンドル７への押し圧Ｐで、其れに連動する圧縮スプリング８を介し、伸縮でのスライド移動で双方のゲートが交互に開成Ｂと閉成Ｃとを自在にし、計量パイプ６に詰め込まれた所定のボールベアリング２の数量を第２ゲート５の端部５ａより放出可能構成にし、個別に配置するボールベアリング付きサルカンＡのケース１の開口部１ａにボールベアリング２を挿入可能なボールベアリング計量挿入装置としている。
【発明の効果】
【０００９】  本発明は上述の通り構成作用するので、次の優れた効果を奏する。即ち、第１実施例で述べる様に、ベアリング容器に詰められたボールベアリングは計量パイプに必要な数だけ無造作に詰められ、詰められたボールベアリングは、計量パイプに設けたハンドル操作で、第２ゲートに移動し、其のゲート端部に接続するサルカンのケースの中に所定の数だけ流れ込みの整頓をハンドルプッシュ操作で出来る、ボールベアリング計量挿入装置を提供出来る。
【発明を実施するための最良の形態】
【００１０】  以下に図示の実施例に基づいて、本発明を更に詳細に説明する。即ち、図１は本発明での第１実施例に基づく、特許文献１での製造を示しての全体斜視図で、ボールベアリング付きサルカンＡの構成するケース１内部に決められた数で、決められた大きさのボールベアリング２をケース１の開口部１ａから挿入する製造方法を述べる。【００１１】  使用するボールベアリング２を貯めるじょうご形状で成るベアリング容器３の第１ゲート４は所定の大きさのボールベアリング２が連続して一列に落下する通路構成で、これらの落下したボールベアリング２は当該第１ゲート４の出口孔に、決められた大きさで決められた数しか収容出来ない計量パイプ６の片方端子６ａが連結可能にし、他方の端子６ｂはボールベアリング２の出口通路となる第２ゲート５に接続し、個別に設置するボールベアリング付きサルカンＡのケース１の開口部１ａに送り出されたボールベアリング２が搬入される構成とする。【００１２】  そして、前記する計量パイプ６は決められた大きさで、決められた数のボールベアリング２を収容する為に、例えば１ｍｍの直径のボールベアリング２を１０個収容するのに、計量パイプ６の筒状内径をボールベアリング２が緩やかに通過するす１，２ｍｍ程度にし、筒状の長さＬはボールベアリング２を１０固並べた長さＬ１０、５ｍｍ程度の計量パイプ６の形状が算定され、規則正しく決められた大きさのボールベアリング２が決められた数だけ収容さる。【００１３】  そしてまた、前記する計量パイプ６に収納したボールベアリング２を個別に配置するボールベアリング付きサルカンＡのケース１の内部に挿入するのに、計量パイプ６の端子６ａ、６ｂの両端が、第１ゲート４と第２ゲート５の間に配置され、当該端子の夫々の開口孔の縁に飛び出してなる一枚の弁体９が第１、第２ゲート４，５の双方の孔を蓋的に開閉を自在にスライド移動する構成で、これらの開閉は計量パイプ６の外周のほぼ中央に位置して配置する細長いハドル７に一体化して、直立する２本の柱が計量パイプ６の両サイドに係合し、更に、該計量パイプ６の外周で、前記２本の柱の延長上に２本の位置極め軸を圧縮スプリング８を貫通し外装壁間に保持されながら、ハンドル７を矢印方向に押し圧Ｐを付加することで、圧縮スプリング８が縮小しながら計量パイプ６が第１ゲートと第２ゲートの間でスライドの移動が、片方は第１ゲート孔を弁体９が開成Ｂにし、ベアリング容器３から落下するボールベアリング２が計量パイプ６に目一杯詰め込まれ、ハンドル７の押し圧Ｐを解除することで、収容された計量パイプ６のボールベアリング２が第２ゲート５の端部５ａからケース１に次々と決められた数のボールベアリング２が送り込まれ挿入される。【００１４】  そして又、ボーベアリング付きサルカンＡの規格変更に順応し、前記する計量パイプ６に収容するボールベアリング２の球の直径違いと員数違いに応じて計量パイプ６の中空内径と其の中空長さは変更され、第１、第２ゲート４，５の開口孔が変更されたボールベアリング計量挿入装置が提供されることになり、更には、ハンドル７に付加する押し圧Ｐはモータ等の動力を使い、回転カムの回転力を使い矢印方向に回転を与え、ボールベアリング付き��ルカンＡのケース１おベルトコンベア等お使い、間欠送りでのオートマチック製法に持っていく事も容易であるばかりでなく、当該釣り用サルカンの他の用品でのボールベアリングの組み付け作業での製法に使う事が出来る、ボールベアリング計量挿入装置として提供出来る。
【図面の簡単な説明】
【００１５】
【図１】  本発明に係わる第１実施例で使用例を示しての斜視図である。
【符合の説明】
【００１６】  Ａ        ボールベアリング付きサルカン
Ｂ        開成
Ｃ        閉成
Ｌ        長さ
Ｐ        押し圧
１        ケース
２        ボールベアリング
３        ベアリング容器
４        第１ゲート
５        第２ゲート
６        計量パイプ
６ａ、ｂ  端子
７        ハンドル
８        圧縮スプリング
９        弁体
【図１】
2010187649.tif 000003